(57)【要約】【課題】  便座上に肌を直接触れさせないために、便座上に置いたトイレットペーパー等を一時的に固定する、トイレで試用する便座に貼って試用する付箋を提供する。【解決手段】  水溶性のものが望ましいが、適宜な素材と大きさからなる付箋に粘着剤塗布部を設け、片方はトイレットペーパーに粘着させ、付箋のもう一方の側は便座上面に粘着させることにより、当該トイレットペーパーが、便座上に一時的に固定され、当該備え付けのトイレットペーパーをいわゆる「便座シート」として使用し、用が済んだら当該トイレットペーパーを便座から剥ぎ取り、水に流すようにしたことを特徴とする。【選択図】図６
0003134411.tif 000002
【実用新案登録請求の範囲】
【請求項１】
一枚の付箋基材の両面の各面の全部または一部に粘着剤塗布部を設け、便座上に置いたトイレットペーパー等の置物を一時的に固定的に保持させるための、附箋
【請求項２】
二枚の付箋基材の各表面の全部または一部に粘着剤塗布部を設け、当該付箋基材の裏面を貼り合せることにより、あたかも一枚の付箋基材の両面に粘着剤塗布部が存するようにした、請求項１記載の附箋
【請求項３】
一枚の付箋基材の適宜な場所に折り曲げ部を設け、当該付箋基材の表面に当該折り曲げ部をまたがないようにして粘着剤塗布部を設けた、請求項１記載の附箋
【請求項４】
一枚の付箋基材の適宜な場所に折り曲げ部を設け、当該折り曲げ部をまたがるようにして当該付箋基材に粘着剤塗布部を設けた、請求項１記載の附箋
【考案の詳細な説明】
【技術分野】
【０００１】  本考案は、洋式トイレの使用時に便座に直接肌が触れないようにするために便座上に置いた紙片等（以後トイレットペーパーという）が便座からずれ落ちないように一時的に固定的に保持したり、あるいは容易に当該トイレットペーパーを当該便座から剥ぎ取ることができるようにした付箋に関するものである。
【背景技術】
【０００２】  従来、便座に直接肌が触れないようにするために、便座の形（概半円形）にカットした「便座シート」等の商品名で市販されているいわゆる便座シートを別途準備しておくか、便座に直接肌が触れても清潔感を出すために便座除菌クリーナー等で便座を拭いてから便座に座ることを慫慂する、といったことが行われていた。
これらは便座を覆うために特別な紙（シート）を別途備え置くとか、便座をシートで覆わない代わりに便座をクリーナーで除菌するためのクリーナー等を備え置く、必要があった。
上記「便座シート」は便座から容易にずれ落ちたりするので使い勝手が悪かった。また除菌クリーナーは水分を含んだものが多く、拭いた便座には水分が残り、たとえ除菌したとしても直接肌に触れると冷たく感じるなど、使い勝手が悪いものであった。
また、「便座シート」やクリーナーはトイレ使用時に必須のものではないため、いわゆる品切れになっていていざ使用するときに使用できないことが頻発していた。
更に、便座の形（概半円形）に加工したいわゆる携帯用の「便座シート」が市販されているが、これも便座の形に紙を加工・裁断しその一面に粘着剤を塗布し、当該「便座シート」が便座からずれ落ちないようになっているが、備え付けのトイレットペーパーを使用することと比べるとコストは高くなり、携帯するには形も大きく、不便である。【０００３】  一方、トイレットペーパー等を便座に一時的に固定的に保持させるためのものに関しては、下記実世ｙ新案文献１（以後文献１等という）にあるように、便器の蓋に便座の形状に形成した便座シートホルダーを設けようとするもの、文献２にみるように、便座に孔を設け当該孔からトイレットペーパー等を吸引することで便座上のシートがずり落ちないようにしようとしたもの、また文献３では便座上に置いたトイレットペーパー等がずり落ちないようにガイドを便座や便器蓋等に設けようとしたもの、さらに文献４では便座の裏側に留め具材を挟み込み当該留め具材で便座上のトイレットペーパーを固定しようとしたもの、等の考案が知られている。
【実世ｙ新案文献１】
特開平１１−３０９０８７
【実世ｙ新案文献２】
実世ｙ新案公開２００３−１８０５６４
【実世ｙ新案文献３】
実世ｙ新案公開２００３−３０４９８８
【実世ｙ新案文献４】
特開２００５−１１８５１６
【考案の開示】
【考案が解決しようとする課題】
【０００４】  便座上において肌が直接便座に触れないようにするためのものを、以後「便座シート」とよぶことにする。
便座シートが便座からずり落ちないようにするための手段としては、便座にホルダーを設ける方法が一般的であるが、いずれにしてもその便座シートを便座の形状に加工したものを使用することを前提にしている。
また、備え付けのトイレットペーパー等便座の形状に加工していない紙片等を便座シートとして使用するためのホルダーとしては、（０００３）の文献４がある。
（０００３）の文献４のシート留め具材はそれなりに有用と思われるが、便座と便器の大きさはほとんど同じで、便座の裏側には留め具材を固定するスペースは殆どなく、従って当該留め具材の大きさは制限されること、すなわち小さなものになり使い勝手が悪くなること、またスペースが十分でないため、留め具材の開口部分が小さくなるため僅かなスペースのところに便座シートやトイレットペーパーを挟みこむ作業は、実際にトイレをするときには面倒で煩わしくなり実用的ではない。【０００５】  さらに、上述したように便座の形（概半円形）に加工したいわゆる携帯用の「便座シート」が市販されているが、これも便座の形に紙を加工・裁断しその一面に粘着剤を塗布し、当該「便座シート」が便座からずれ落ちないようになっているが、備え付けのトイレットペーパーを使用することと比べるとコストは高くなり、携帯するには形も大きく、不便である。
本考案は、これらの問題点を解決するためになされたものである。
【課題を解決するための手段】
【０００６】  本考案のイメージは、両面に粘着剤を塗布した部分を設け、着脱自在にした市販のいわゆる付箋をイメージすると理解しやすい。以下本考案について詳述するが、本稿での「前」「後」「上」「下」「山折」「表（面）」「裏（面）」等の表現は図面に基づくものとする。【０００７】  付箋１の構造として以下の４つがあり、順次詳述していく。
（１）一枚の付箋基材２の両面に粘着剤塗布部Ａ５および粘着剤塗布部Ｂ６を設けてなる、請求項１に記載の付箋１。
（２）付箋基材Ａ３および付箋基材Ｂ４に粘着剤塗布部Ａ５および粘着剤塗布部Ｂ６をそれぞれ設け、当該付箋基材Ａ３および当該付箋基材Ｂ４を貼り合せることにより、あたかも一枚の付箋基材からなるようにした、請求項２記載の付箋１。
（３）一枚の付箋基材２の適宜な場所に折り曲げ部７を設け、当該付箋基材２の表面に当該折り曲げ部７をまたがないようにして粘着剤塗布部Ａ５および粘着剤塗布部Ｂ６を設けてなる、請求項３記載の附箋１。
（４）一枚の付箋基材２の表面の適宜な場所に折り曲げ部７を設け、当該折り曲げ部７をまたがるようにして付箋基材２に粘着剤塗布部１１を設けてなる、請求項４に記載の付箋１。
当該付箋基材２の素材は、紙等の水溶性のものでもよく、その素材については特定しないが、後述する使用方法からみると、素材としては水溶性の紙が望ましい。さらに形状についても特定しないが、長方形の小片が望ましい。【０００８】  まず、一枚の付箋基材２の両面に粘着剤塗布部Ａ５および粘着剤塗布部Ｂ６を設けてなる、請求項１に記載の付箋１について述べる。
一枚の付箋基材２の表・裏の各面の全部または一部にそれぞれ粘着剤塗布部Ａおよび粘着剤塗布部Ｂを設けて付箋１を製造する。
図１は、一枚の付箋基材２に粘着剤を塗布した状態を示す断面図であるが、図１（Ａ）のように粘着剤塗布部Ａ５と粘着剤塗布部Ｂ６を付箋基材２の両面の対向する同じ位置に設けてもよく、また図１（Ｂ）に示すように粘着剤塗布部Ａ５と粘着剤塗布部Ｂ６を付箋基材２の両面の対向する位置で重ならない状態にして設けてもよい。
当該付箋１を保管する時は、当該付箋１を重ねて市販の付箋のような状態で保管する。図８は粘着剤塗布部Ａ５と粘着剤塗布部Ｂ６を付箋基材Ａ３と付箋基材Ｂ３の表面の対向する位置で重ならないようにした当該付箋１を重ね合せる状況を示す断面図で、（Ａ）は構成を示す断面図で、（Ｂ）は重ね合わせた状況を示す断面図である。
上記のように重ねて保管されている付箋１を剥がし、図６の（Ｃ）のように４個ないし２個（ただし貼る個数は特定しない）便座上面８にはり、図７の（Ａ）に示すように適宜な長さ（便座を覆うような長さ）に切ったトイレットペーパー９を当該便座上面８に置いて軽く押さえると、当該トイレットペーパー９は当該付箋１に粘着し、当該付箋１を介して便座上面８に一時的に固定される。こうしてトイレットペーパーによる便座シートが完成するので、「トイレットペーパー便座シート」に座ると肌を直接便座に触れさせることがなくなる。
「トイレットペーパー便座シート」に座って用をたし、用が済んだらトイレットペーパーの適宜な所を持って剥がし、「トイレットペーパー便座シート」はトイレに流す。【０００９】  なお、上記（０００８）の変形として図は省略するが当該付箋１の素材を例えばゴムのような水溶性のない素材を用いた場合には、使用後は当該付箋１は汚物入れに等に捨てる。
もしくは、当該付箋１の保管方法としては使い捨てではなく使用後は剥がして「当該付箋１入れ」などの収納容器に収納し持ち運び、再使用するようにしてもよい。【００１０】  次に、本項および次の（００１１）において付箋基材Ａ３および付箋基材Ｂ４に粘着剤塗布部Ａ５および粘着剤塗布部Ｂ６をそれぞれ設け、当該付箋基材Ａ３および当該付箋基材Ｂ４を貼り合せることにより、あたかも一枚の付箋基材からなるようにした、請求項２記載の付箋１について述べる。
図２（Ａ）に示すように、付箋基材Ａ３と付箋基材Ｂ４の各表面に粘着剤塗布部Ａ５と粘着剤塗布部Ｂ６を設け、付箋基材Ａ３と付箋基材Ｂ４の各裏面を貼り合せる。貼り合せることによりあたかも一枚の付箋基材２からなる付箋１のようになる。その完成断面図が図２の（Ｂ）である。
図２は粘着剤塗布部Ａ５と粘着剤塗布部Ｂ６を付箋基材Ａ３と付箋基材Ｂ４の表面の対向する同じ位置に設けたケースである。【００１１】  図３は（００１０）と同様にして製造した付箋１であるが、粘着剤塗布部Ａ５と粘着剤塗布部Ｂ６を付箋基材Ａ３と付箋基材Ｂ４の表面の対向する位置で重ならない状態にして設けたケースである。
本項および（００１０）で記載のあたかも一枚の付箋基材２からなる当該付箋１を保管する時は、当該付箋１を重ねて市販の付箋のような状態で保管する。図８は粘着剤塗布部Ａ５と粘着剤塗布部Ｂ６を付箋基材Ａ３と付箋基材Ｂ４の表面の対向する位置で重ならないようにした当該付箋１を重ね合せる状況を示す断面図で、（Ａ）は構成を示す断面図で、（Ｂ）は重ね合わせた状況を示す断面図である。
上記のように重ねて保管されている付箋１を剥がし、図６の（Ｃ）のように４個ないし２個（ただし貼る個数は特定しない）便座上面にはり、図７の（Ａ）に示すように適宜な長さ（便座を覆うような長さ）に切ったトイレットペーパー９を当該便座上面８に置いて軽く押さえると、当該トイレットペーパー９は当該付箋１に粘着し、当該付箋１を介して便座上面８に一時的に固定される。こうしてトイレットペーパーによる便座シートが完成するので、「トイレットペーパー便座シート」に座ると肌を直接便座に触れさせることがなくなる。
「トイレットペーパー便座シート」に座って用をたし、用が済んだらトイレットペーパー９の適宜な所を持って剥がし、「トイレットペーパー便座シート」はトイレに流す。当該付箋１が水溶性で無い場合は、当該付箋１は汚物入れ等に捨てる。【００１２】  三つ目は、一枚の付箋基材２の適宜な場所に折り曲げ部７を設け、当該付箋基材２の表面に当該折り曲げ部７をまたがないようにして粘着剤塗布部Ａ５および粘着剤塗布部Ｂ６を設けてなる、請求項３記載の附箋１について述べる。
一枚の付箋基材２の適宜な場所に折り曲げ部７を設け、当該付箋基材２の表面に当該折り曲げ部７をまたがないようにして粘着剤塗布部Ａ５および粘着剤塗布部Ｂ６を設ける。
折り曲げ部７は、当該箇所が折り曲げ部７であることを示すために適宜な線で印を付けたり、あるいは容易に折り曲げることが出来るようにミシン目などを設けておいてもよい。
図４の（Ａ）は上記のようにした付箋１の構成斜視図であるが、折り曲げ部７で当該付箋１を山折にすると、その形状は図４の（Ｂ）のようになる。
このことにより、あたかも一枚の付箋基材２の両面に粘着剤塗布部１１が存するようになった付箋１となる。
図４の（Ａ）および（Ｂ）は当該折り曲げ部７で当該付箋１を折った際に、対向する粘着剤塗布部ＡとＢが重ならないようにした付箋１である。一方、図は省略するが、当該折り曲げ部７で当該付箋１を折った際に、対向する粘着剤塗布部ＡとＢが重なるようにしてもよい。
折り曲げることにより両面に粘着剤塗布部を有するあたかも一枚の付箋１を保管する時は、折り曲げ部７を持って剥がせるようにして当該付箋１を重ねて市販の付箋のような状態で保管する。
図８は粘着剤塗布部Ａ５と粘着剤塗布部Ｂ６を付箋基材Ａ３と付箋基材Ｂ４の表面の対向する位置で重ならないようにした折り曲げた当該付箋１を重ね合せる状況を示す断面図で、（Ａ）は構成を示す断面図で、（Ｂ）は重ね合わせた状況を示す断面図である。
なお、図８の（Ａ）または（Ｂ）においていえば右端が折り曲げ部７となるように重ねると剥がしやすいｖ。
上記のように重ねて保管されている付箋１を剥がし、図６の（Ａ）のように粘着剤塗布部Ｂを便座上面８に粘着させ、図７の（Ａ）に示すように適宜な長さ（便座を覆うような長さ）に切ったトイレットペーパー９を当該便座上面８に置いて軽く押さえると、当該トイレットペーパー９は当該粘着剤塗布部Ａに粘着する。図７の（Ｂ）はその平面図である。
その結果、当該トイレットペーパー９は当該付箋１を介して便座上面８に一時的に固定される。
こうしてトイレットペーパー９による便座シートが完成するので、「トイレットペーパー便座シート」に座ると肌を直接便座に触れさせることがなくなる。
「トイレットペーパー便座シート」に座って用をたし、用が済んだらトイレットペーパー９の適宜な所を持って剥がし、「トイレットペーパー便座シート」はトイレに流す。当該付箋１が水溶性で無い場合は、当該付箋１は汚物入れ等に捨てる。
なお、当該粘着剤塗布部Ａを当該便座上面８に粘着させ、当該粘着剤塗布部Ｂを当該トイレットペーパー９に粘着させてもよい。また、使用する当該付箋１の枚数は図６の（Ｃ）のように４枚でもよく、２枚でもよい。使用枚数を特定するものではない。【００１３】  最後の四つ目は、一枚の付箋基材２の表面の適宜な場所に折り曲げ部７を設け、当該折り曲げ部７をまたがるようにして付箋基材２に粘着剤塗布部１１を設けてなる、請求項４に記載の付箋１について述べる。
本付箋の構造は、一枚の付箋基材２の適宜な場所（通常は当該付箋基材２の概中央部分）に図５に示すような折り曲げ部７を設け、当該折り曲げ部７をまたがるようにして当該付箋基材２に粘着剤塗布部１１を設けてなることを特徴とする。
本付箋１の使用方法については後述するが、折り曲げて使用するので当該折り曲げ部７には、折り曲げやすくするためにミシン目１０を設けたり、あるいは少なくも「ここを折って使用する」ことがわかるように適宜な線を印刷しておくことが望ましい。
図５は当該付箋１の一部に粘着剤を塗布しない部分を設けてなる当該付箋１の斜視図である。
当該付箋１を保管する時は、「粘着剤を塗布していない部分」をもって剥がせるようにして、当該付箋１を重ねて市販の付箋のような状態で保管する。
上記のように重ねて保管されている付箋１を剥がし、図６の（Ｂ）のように粘着剤塗布部１１の一部を便座上面８に粘着させ、折り曲げ部７から山折にする。その後図７の（Ａ）に示すように適宜な長さ（便座を覆うような長さ）に切ったトイレットペーパー９を当該便座上面８に置いて軽く押さえると、当該トイレットペーパー９は折り曲げて上面にあらわれた粘着剤塗布部１１に粘着する。図７の（Ｂ）はその平面図である。
その結果、当該トイレットペーパー９は当該付箋１を介して便座上面８に一時的に固定される。
こうしてトイレットペーパーによる便座シートが完成するので、「トイレットペーパー便座シート」に座ると肌を直接便座に触れさせることがなくなる。
「トイレットペーパー便座シート」に座って用をたし、用が済んだらトイレットペーパー９の適宜な所を持って剥がし、「トイレットペーパー便座シート」はトイレに流す。当該付箋１が水溶性で無い場合は、当該付箋１は汚物入れ等に捨てる。
なお、使用する当該付箋１の枚数は図６の（Ｃ）のように４枚でもよく、２枚でもよい。使用枚数を特定するものではない。
【考案の効果】
【００１４】  洋式トイレに座って用をたす時に便座に肌が直接触れるのであるが、自宅のトイレならともかく、公共的な場所など不特定多数が利用するトイレにおいては、他人の肌が触れた便座に自分の肌を触れさすのに抵抗感が強い。
このため、便座の形に形成したいわゆる便座シートを便座においたり、除菌クリーナーで便座を拭いてから使用することが一般的になっている。このためには、いわゆる便座シートや除菌クリーナーを別途備え置く必要があり、補充に気を使う必要がたった。
さらに、便座シートは折りたたんで保管されていることが一般的で、ケースから取り出し、便座上にそれがずり落ちないように置く、などと結構面倒な作業を伴っている。
除菌クリーナーも、わざわざ紙にクリーナーを取り便座を拭く必要があり、クリーナーはジェル状のものが多く、たとえ便座を拭いても直接肌を便座に触れさせることには変わりなく、拭いた後は便座が濡れていたり冷たかったりと不快感を覚えることがある。
上述したように、提供者側からはこれらの手段をわざわざ補充する必要があり、利用者側からは、時に補充がなされていないこともあり、不快感を持つこともある。【００１５】  トイレットペーパーは殆どのトイレで提供者側が準備しておくようになった。つまり、トイレットペーパーの補充は「わざわざ補充」するのではなく、もはや当然のこととなっている。トイレットペーパーは必ず備え付けてある、とみてもよい。
本考案は、このトイレットペーパーをいわゆる便座シートとして利用する手段を提供するものである。上述したように、備え付けのトイレットペーパーを適宜な長さに切り、便座の上に置き、これがずり落ちないように便座付箋で押さえ、使用後は当該トイレットペーパーの端をもって剥がし、水に流す、という一連の動作においては無理なものはなく極めて自然に行える動きであり、これにより便座に直接肌が触れることはない。
従来から、便座の形（概半円形）に加工したいわゆる携帯用の「便座シート」が市販されているが、これも便座の形に紙を加工・裁断しその一面に粘着剤を塗布し、当該「便座シート」が便座からずれ落ちないようになっているが、備え付けのトイレットペーパーを使用することと比べるとコストは高くなり、携帯するには形も大きく、不便である。
繰り返すが、本考案によりいわゆる便座シートという「特別」なものを準備したり備え置く必要性はなくなる。本考案による方法は利便性、快適性、使用方法の簡便性等のメリットがあり、また従来の市販製品に比べ価格も低くして提供できる。【００１６】  また、本考案のホルダーは、トイレットペーパーのみを一時的に固定的に保持するものではないので、仮にトイレットペーパーが備え置いてない場合には、持参のティッシュー（紙片）などをトイレットペーパーの代わりにすればよく、これらの紙片を本考案の便座付箋で便座上に一時的に固定的に保持することが出来る。
以上のように、本考案により、従来の不便さは解決される。
【考案を実施するための最良の形態】
【００１７】    請求項１記載の当該付箋１を保管する時は、当該付箋１を重ねて市販の付箋のような状態で保管する。
次に、当該付箋１を使用するときは、付箋１を剥がし、
（１）図６の（Ｃ）のように４個ないし２個（ただし貼る個数は特定しない）便座上面８にはり、
（２）図７の（Ａ）に示すように適宜な長さ（便座を覆うような長さ）に切ったトイレットペーパー９を当該便座上面８に置いて軽く押さえると、当該トイレットペーパー９は当該付箋１に粘着し、当該付箋１を介して便座上面８に一時的に固定される。
（３）こうしてトイレットペーパーによる便座シートが完成するので、「トイレットペーパー便座シート」に座ると肌を直接便座に触れさせることがなくなる。
（４）「トイレットペーパー便座シート」に座って用をたし、用が済んだらトイレットペーパーの適宜な所を持って剥がし、「トイレットペーパー便座シート」はトイレに流す。なお、当該付箋１が水溶性で無い場合は、当該付箋１は汚物入れ等に捨てる。【００１８】  上記（００１７）は当該付箋１を使い捨てとして考えているが、当該付箋１の素材を例えばゴムなどの水溶性のないものにしかつ容易に破損しない素材とした場合には、当該付箋１を「付箋入れ」等の容器に保管し、使用時は当該容器から取り出し上記（０００１７）に記載のようにして使用し、使用後は再度当該容器に戻して持ち運ぶようにしてもよい。【００１９】    請求項２記載のあたかも一枚の付箋基材２からなる当該付箋１を保管する時は、当該付箋１を重ねて市販の付箋のような状態で保管する。図８は粘着剤塗布部Ａ５と粘着剤塗布部Ｂ６を付箋基材Ａ３と付箋基材Ｂ４の表面の対向する位置で重ならないようにした当該付箋１を重ね合せる状況を示す断面図で、（Ａ）は構成を示す断面図で、（Ｂ）は重ね合わせた状況を示す断面図である。
上記のように重ねて保管されている付箋１を使用するときは、当該付箋１を剥がし、
（１）図６の（Ｃ）のように４個ないし２個（ただし貼る個数は特定しない）便座上面にはり、
（２）図７の（Ａ）に示すように適宜な長さ（便座を覆うような長さ）に切ったトイレットペーパー９を当該便座上面８に置いて軽く押さえると、当該トイレットペーパー９は当該付箋１に粘着し、当該付箋１を介して便座上面８に一時的に固定される。
（３）こうしてトイレットペーパーによる便座シートが完成するので、「トイレットペーパー便座シート」に座ると肌を直接便座に触れさせることがなくなる。
（４）「トイレットペーパー便座シート」に座って用をたし、用が済んだらトイレットペーパー９の適宜な所を持って剥がし、「トイレットペーパー便座シート」はトイレに流す。当該付箋１が水溶性で無い場合は、当該付箋１は汚物入れ等に捨てる。【００２０】  請求項３記載の折り曲げることにより両面に粘着剤塗布部を有するあたかも一枚の付箋１を保管する時は、折り曲げ部７を持って剥がせるようにして当該付箋１を重ねて市販の付箋のような状態で保管する。
図８は粘着剤塗布部Ａ５と粘着剤塗布部Ｂ６を付箋基材Ａ３と付箋基材Ｂ４の表面の対向する位置で重ならないようにした折り曲げた当該付箋１を重ね合せる状況を示す断面図で、（Ａ）は構成を示す断面図で、（Ｂ）は重ね合わせた状況を示す断面図である。
なお、図８の（Ａ）または（Ｂ）においていえば右端が折り曲げ部７となるように重ねると剥がしやすいので。
上記のように重ねて保管されている付箋１を使用するときは、当該付箋１を剥がし、
（１）図６の（Ａ）のように粘着剤塗布部Ｂを便座上面８に粘着させ、
（２）図７の（Ａ）に示すように適宜な長さ（便座を覆うような長さ）に切ったトイレットペーパー９を当該便座上面８に置いて軽く押さえると、当該トイレットペーパー９は当該粘着剤塗布部Ａに粘着する。図７の（Ｂ）はその平面図である。
その結果、当該トイレットペーパー９は当該付箋１を介して便座上面８に一時的に固定される。
（３）こうしてトイレットペーパー９による便座シートが完成するので、「トイレットペーパー便座シート」に座ると肌を直接便座に触れさせることがなくなる。
（４）「トイレットペーパー便座シート」に座って用をたし、用が済んだらトイレットペーパー９の適宜な所を持って剥がし、「トイレットペーパー便座シート」はトイレに流す。当該付箋１が水溶性で無い場合は、当該付箋１は汚物入れ等に捨てる。
なお、当該粘着剤塗布部Ａを当該便座上面８に粘着させ、当該粘着剤塗布部Ｂを当該トイレットペーパー９に粘着させてもよい。また、使用する当該付箋１の枚数は図６の（Ｃ）のように４枚でもよく、２枚でもよい。使用枚数を特定するものではない。【００２１】  請求項４記載の当該付箋１を保管する時は、「粘着剤を塗布していない部分」をもって剥がせるようにして、当該付箋１を重ねて市販の付箋のような状態で保管する。
上記のように重ねて保管されている付箋１を使用する時は、付箋１を剥がし、
（１）図６の（Ｂ）のように粘着剤塗布部１１の一部を便座上面８に粘着させ、折り曲げ部７から山折にする。
（２）図７の（Ａ）に示すように適宜な長さ（便座を覆うような長さ）に切ったトイレットペーパー９を当該便座上面８に置いて軽く押さえると、当該トイレットペーパー９は折り曲げて上面にあらわれた粘着剤塗布部１１に粘着する。図７の（Ｂ）はその平面図である。
その結果、当該トイレットペーパー９は当該付箋１を介して便座上面８に一時的に固定される。
（３）こうしてトイレットペーパーによる便座シートが完成するので、「トイレットペーパー便座シート」に座ると肌を直接便座に触れさせることがなくなる。
（４）「トイレットペーパー便座シート」に座って用をたし、用が済んだらトイレットペーパー９の適宜な所を持って剥がし、「トイレットペーパー便座シート」はトイレに流す。当該付箋１が水溶性で無い場合は、当該付箋１は汚物入れ等に捨てる。
なお、使用する当該付箋１の枚数は図６の（Ｃ）のように４枚でもよく、２枚でもよい。使用枚数を特定するものではない。
【図面の簡単な説明】
【００２２】
【図１】一枚の付箋基材に粘着剤を塗布した状態を示す断面図で、（Ａ）は粘着剤塗布部を付箋基材の両面の対向する同じ位置に設けた付箋の断面図で、（Ｂ）は粘着剤塗布部を付箋基材の両面の対向する位置で重ならない状態にして設けた付箋の断面図
【図２】付箋基材の対向する同じ位置に粘着剤塗布部を設けた二枚の付箋基材を貼り合わせて一枚の付箋とする状況を示し断面図で、（Ａ）は構成断面図で、（Ｂ）は貼り合せて一枚の付箋となった状態を示す構成断面図
【図３】粘着剤塗布部を付箋基材の対向する位置で重ならない状態にして設けた二枚の付箋基材を貼り合わせて一枚の付箋とする状況を示し断面図で、（Ａ）は構成断面図で、（Ｂ）は貼り合せて一枚の付箋となった状態を示す構成断面図
【図４】二つの粘着剤塗布部を一枚の付箋基材に設けた付箋で、折り曲げ部で付箋を折った際に、対向する粘着剤塗布部が重ならないようにした付箋で、（Ａ）は構成斜視図で、（Ｂ）は二つに折った付箋の構成断面図
【図５】適宜な場所に折り曲げ部を設けた一枚の付箋基材の表面に粘着剤塗布部を設けた付箋の斜視図
【図６】付箋の使用状況を示す図で、（Ａ）および（Ｂ）は便座上面に装着した状態を示す斜視図で、（Ｂ）は付箋の装着状況の一例を示す平面図
【図７】便座上面にトイレットペーパーを装着する状況を示す図で、（Ａ）は構成斜視図で（Ｂ）は装着状況を示す平面図
【図８】二つに折った付箋を重ね合せる状況を示す断面図で、（Ａ）は構成を示す断面図で、（Ｂ）は重ね合わせた状況を示す断面図
【符号の説明】
【００２３】        １  付箋                      ６  粘着剤塗布部Ｂ
２  付箋基材                  ７  折り曲げ部
３  付箋基材Ａ                ８  便座上面
４  付箋基材Ｂ                ９  トイレットペーパー
５  粘着剤塗布部Ａ            １０ミシン目
１１粘着剤塗布部
【図１】
0003134411.tif 000003
【図２】
0003134411.tif 000004
【図３】
0003134411.tif 000005
【図４】
0003134411.tif 000006
【図５】
0003134411.tif 000007
【図６】
0003134411.tif 000008
【図７】
0003134411.tif 000009
【図８】
0003134411.tif 000010